(57)【特許請求の範囲】
【請求項１】
左視点画像及び右視点画像からなる立体視画像を表示する立体表示部と、
前記立体表示部の表示面上の所望の位置座標を入力する座標入力部と、
ユーザの利き目を判定するための左視点画像及び右視点画像からなる利き目判定画像であって、左視点画像と右視点画像とでそれぞれ異なる基準座標を表す利き目判定画像を前記立体表示部に表示させる表示制御部と、
前記立体表示部に表示された利き目判定画像に対して前記座標入力部を介してユーザにより入力された位置座標を取得する取得部と、
前記左視点画像及び右視点画像からなる各利き目判定画像の各々の基準座標と前記取得された位置座標とに基づいて前記取得された位置座標が左視点画像の基準座標及び右視点画像の基準座標のいずれに近いかに応じて前記座標入力部を介して前記位置座標を入力したユーザの利き目を判定する判定部と、
を備え、
前記表示制御部は、前記利き目判定画像として前記立体表示部に操作用のアイコン画像を表示させ、
前記座標入力部は、前記立体表示部の表示面上に設けられたタッチパネルであることを特徴とする立体表示装置。
【請求項２】
前記表示制御部は、前記利き目判定画像として前記立体表示部にスタートボタン、ログインボタン等のボタン画像を表示させることを特徴とする請求項１に記載の立体表示装置。
【請求項３】
前記表示制御部は、前記利き目判定画像として前記立体表示部に操作用のつまみを含むスライドバー画像を表示させることを特徴とする請求項１に記載の立体表示装置。
【請求項４】
前記表示制御部は、前記利き目判定画像として前記立体表示部に線画を表示させ、
前記判定部は、前記線画を示す左視点画像及び右視点画像からなる各利き目判定画像の各々の輪郭線の座標と、前記線画をなぞることにより前記座標入力部により連続して取得された座標との平均距離に基づいて前記線画をなぞったユーザの利き目を判定することを特徴とする請求項１に記載の立体表示装置。
【請求項５】
前記表示制御部は、前記利き目判定画像として前記立体表示部に未完成の絵又は図形を表示させ、
前記判定部は、前記未完成の絵又は図形を示す左視点画像及び右視点画像からなる各利き目判定画像の各々の基準座標と、前記座標入力部により前記未完成の絵又は図形が完成するように追加された絵又は図形の位置座標とに基づいて前記追加したユーザの利き目を判定することを特徴とする請求項１に記載の立体表示装置。
【請求項６】
前記判定部は、前記座標入力部を介して前記位置座標を入力したユーザの利き目を判定することができなかった場合には右目を利き目として判定することを特徴とする請求項１から５のいずれかに記載の立体表示装置。
【請求項７】
ユーザの利き目の情報を装置内部に保存登録する保存登録部を備えたことを特徴とする請求項１から６のいずれかに記載の立体表示装置。
【請求項８】
前記保存登録部は、前記判定部による判定結果に基づいて自動的に利き目の情報を保存登録することを特徴とする請求項７に記載の立体表示装置。
【請求項９】
前記保存登録部は、ユーザからの指示入力により該ユーザの利き目の情報を受け付ける利き目情報入力部を有し、前記利き目情報入力部により受け付けたユーザの利き目の情報を保存登録することを特徴とする請求項７又は８に記載の立体表示装置。
【請求項１０】
前記立体表示部に表示された立体視画像上の所望の対象画像の位置座標を前記座標入力部を介して受け付ける位置入力部を備え、
前記位置入力部により受け付けた位置座標を、前記立体視画像の左視点画像及び右視点画像のうちの前記保存登録部に登録されたユーザの利き目の情報に対応する利き目側の視点画像上の座標位置として取り扱うことを特徴とする請求項７から９のいずれかに記載の立体表示装置。
【請求項１１】
前記立体表示部に左視点画像及び右視点画像からなる立体視画像を表示させる３Ｄ表示モードと、前記立体視画像を構成する左視点画像及び右視点画像のうちのいずれか一方の視点画像を表示させる２Ｄ表示モードとを切り替える表示モード切替部を備え、
前記表示制御部は、前記表示モード切替部により２Ｄ表示モードへの切替時に、前記保存登録部に登録されたユーザの利き目の情報に基づいて前記左視点画像及び右視点画像のうちのユーザの利き目側の視点画像を前記立体表示部に表示させることを特徴とする請求項７から１０のいずれかに記載の立体表示装置。
【請求項１２】
前記表示モード切替部は、前記タッチパネルによりタッチが検知されるごとに前記２Ｄ表示モードと３Ｄ表示モードとを交互に切り替えることを特徴とする請求項１１に記載の立体表示装置。
【請求項１３】
前記表示モード切替部は、前記タッチパネルによりタッチが検知されると、前記２Ｄ表示モードに切り替え、前記タッチパネルによりタッチが検知されないと、又は一定時間以上タッチが検知されないと、前記３Ｄ表示モードに切り替えることを特徴とする請求項１１に記載の立体表示装置。
【請求項１４】
前記立体表示部に表示させる左視点画像及び右視点画像からなる立体視画像の左右の視差量を検出する視差量検出部と、
前記視差量検出部により検出された視差量のうち、予め設定された視差量又はユーザにより指定された二重に見える領域の視差量を越える視差量を有する領域を抽出する領域抽出部と、
前記領域抽出部により抽出された領域の立体視画像を、前記保存登録部に登録されたユーザの利き目の情報に対応する利き目側の視点画像のみに置き換える画像置換え部と、
を備えたことを特徴とする請求項７から１３のいずれかに記載の立体表示装置。
【請求項１５】
前記表示制御部は、前記立体表示部に複数の前記利き目判定画像を表示させ、
前記判定部は、複数の前記利き目判定画像によってそれぞれ判定した利き目の多数決により最終的な利き目の判定を行うことを特徴とする請求項１から１４のいずれかに記載の立体表示装置。
【請求項１６】
請求項７から１５のいずれかに記載の立体表示装置を備えた立体撮影装置において、
２次元画像を撮影する２Ｄ撮影モードと、左視点画像と右視点画像からなる立体視画像を撮影する３Ｄ撮影モードとを切り替える撮影モード切替部と、
前記撮影モード切替部により前記２Ｄ撮影モードに切り替えられると、前記左視点画像及び右視点画像のうち前記保存登録部に登録されたユーザの利き目の情報に対応する利き目側の視点画像を前記立体表示部にスルー画像として表示させる制御部と、
を備えたことを特徴とする立体撮影装置。
【請求項１７】
立体表示部と、前記立体表示部の表示面上の所望の位置座標を入力する座標入力部とを有する立体表示装置を使用した利き目判定方法であって、
ユーザの利き目を判定するための左視点画像及び右視点画像からなる利き目判定画像であって、左視点画像と右視点画像とでそれぞれ異なる基準座標を表す利き目判定画像を前記立体表示部に表示させる工程と、
前記立体表示部に表示された利き目判定画像に対して前記座標入力部を介してユーザにより入力された位置座標を取得する工程と、
前記左視点画像及び右視点画像からなる各利き目判定画像の各々の基準座標と前記取得された位置座標とに基づいて前記取得された位置座標が左視点画像の基準座標及び右視点画像の基準座標のいずれに近いかに応じて前記座標入力部を介して前記位置座標を入力したユーザの利き目を判定する工程と、
を含み、
前記利き目判定画像を前記立体表示部に表示させる工程は、前記利き目判定画像として前記立体表示部に操作用のアイコン画像を表示させ、
前記座標入力部は、前記立体表示部の表示面上に設けられたタッチパネルであることを特徴とする立体表示装置を使用した利き目判定方法。
【請求項１８】
請求項１７に記載の利き目判定方法を前記立体表示装置に実行させる利き目判定プログラム。
【請求項１９】
請求項１８に記載のプログラムのコンピュータ読取可能なコードを記録した記録媒体。
【発明の詳細な説明】
【技術分野】
【０００１】
本発明は立体表示装置及び立体撮影装置並びに利き目判定方法に係り、特に立体表示装置を使用してユーザの利き目を判定する技術に関する。
【背景技術】
【０００２】
従来、操作部品を立体的に画面に表示し、操作者がタッチパネルにタッチすると、立体表示装置で立体視表示された操作部品への操作指示をそのタッチ位置を示す座標データに基づいて検出し、立体視合成部で形成される操作部品の視差像を変更し、立体表示装置に立体視表示される操作部品の形体を変化させる装置が提案されている（特許文献１）。例えば、操作部品が押しボタン型のスイッチの画像の場合、タッチパネルでそのスイッチの画像にタッチしてオン／オフさせると、オン／オフに応じてスイッチの画像を立体視表示又は平面表示に変更し、これにより操作性を向上させるようにしている。【０００３】
また、立体視差画像を表示部に表示し、タッチパネル上で操作が行われる前に平面画像に切り替えることによって、操作性の向上を図ることが可能な操作パネル装置が提案されている（特許文献２）。【０００４】
一方、運転者の両目の視線方向を検出し、その検出結果と、その検出期間に車両が進行した道路状況に応じた正常な運転状態における標準的な視線移動パターンとを比較し、両目の視線方向のうち、どちらが視線移動パターンに近いかを判定し、視線移動パターンにより近い方の視線方向を利き目であると判断するようにした視線方向検出装置が提案されている（特許文献３）。
【先行技術文献】
【特許文献】
【０００５】
【特許文献１】特開平１０−１０５７３５号公報
【特許文献２】特開２００４−２８０４９６号公報
【特許文献３】特開２００６−２９３９０９号公報
【発明の概要】
【発明が解決しようとする課題】
【０００６】
図２８の（Ａ）に示すように立体表示物をタッチして操作するとき、立体表示物をタッチしたと思っている場所は、実際には左視点画像（図２８の（Ｂ））か、右視点画像（図２８の（Ｃ））のいずれか一方の視点画像上の立体表示物に対応する箇所を触っている。左視点画像上の対応箇所と右視点画像上の対応箇所のどちらが立体表示物上でタッチした場所に近いかと言うと、それはユーザの利き目に依存する。右目が利き目の人は、立体表示物（３Ｄ画像）をタッチしたと思った場所と右視点画像（２Ｄ画像）の場所とが一致もしくは非常に近いことが分かっている。同様に、左目が利き目の人は、左視点画像（２Ｄ画像）の場所が一致もしくは非常に近いことが分かっている。【０００７】
特許文献１に記載の発明は、立体表示物をタッチパネルで操作する際、上記のようにユーザの利き目によりタッチ位置に位置ずれが生じることについては何ら考慮されていない。【０００８】
特許文献２に記載の発明は、タッチパネル上で操作が行われる前に平面画像（２Ｄ画像）に切り替えるため、立体視画像上でタッチパネルを操作することは想定していない。【０００９】
一方、特許文献３には、運転者の両目の視線方向を検出する視線方向検出手段等を使用して運転者の利き目を判断する記載があるが、視線方向検出手段等が必要であり、簡単に利き目を判断することができない。【００１０】
本発明はこのような事情に鑑みてなされたもので、立体表示装置を利用して簡単にユーザの利き目を判定することができ、また、その判定結果を利用することでユーザが意図した立体表示画面上の位置座標を取得することができ、タッチパネル等の座標位置入力用デバイスでの操作性の向上を図ることができる立体表示装置及び立体撮影装置、並びに利き目判定方法及びこれに用いる利き目判定プログラム並びにその記録媒体を提供することを目的とする。
【課題を解決するための手段】
【００１１】
前記目的を達成するために本発明に係る立体表示装置は、左視点画像及び右視点画像からなる立体視画像を表示する立体表示部と、前記立体表示部の表示面上の所望の位置座標を入力する座標入力部と、ユーザの利き目を判定するための左視点画像及び右視点画像からなる利き目判定画像であって、左視点画像と右視点画像とでそれぞれ異なる基準座標を表す利き目判定画像を前記立体表示部に表示させる表示制御部と、前記立体表示部に表示された利き目判定画像に対して前記座標入力部を介してユーザにより入力された位置座標を取得する取得部と、前記左視点画像及び右視点画像からなる各利き目判定画像の各々の基準座標と前記取得された位置座標とに基づいて前記取得された位置座標が左視点画像の基準座標及び右視点画像の基準座標のいずれに近いかに応じて前記座標入力部を介して前記位置座標を入力したユーザの利き目を判定する判定部とを備え、前記表示制御部は、前記利き目判定画像として前記立体表示部に操作用のアイコン画像を表示させ、前記座標入力部は、前記立体表示部の表示面上に設けられたタッチパネルであることを特徴とする。
前記目的を達成するために本発明の第１の態様に係る立体表示装置は、左視点画像及び右視点画像からなる立体視画像を表示する立体表示部と、前記立体表示部の表示面上の所望の位置座標を入力する座標入力部と、ユーザの利き目を判定するための左視点画像及び右視点画像からなる利き目判定画像であって、左視点画像と右視点画像とでそれぞれ異なる基準座標を表す利き目判定画像を前記立体表示部に表示させる表示制御部と、前記立体表示部に表示された利き目判定画像に対して前記座標入力部を介してユーザにより入力された位置座標を取得する取得部と、前記左視点画像及び右視点画像からなる各利き目判定画像の各々の基準座標と前記取得された位置座標とに基づいて前記取得された位置座標が左視点画像の基準座標及び右視点画像の基準座標のいずれに近いかに応じて前記座標入力部を介して前記位置座標を入力したユーザの利き目を判定する判定部と、を備えたことを特徴としている。
【００１２】
前記立体表示部に立体視表示された利き目判定画像に対して前記座標入力部を介してユーザにより位置座標を入力すると、その入力された位置座標が前記座標入力部を介して取得される。この取得された位置座標と各利き目判定画像の各々の基準座標とに基づいて、「前記取得された位置座標が左視点画像の基準座標及び右視点画像の基準座標のいずれに近いか」に応じてユーザの利き目を判定するようにしている。これは、「左視点画像及び右視点画像からなる利き目判定画像上で入力した位置座標は、これらの左視点画像及び右視点画像の基準座標のうち、ユーザの利き目側の視点画像の基準座標に近くなる」という事実に基づいている。【００１３】
本発明の第２の態様に係る立体表示装置は第１の態様に係る立体表示装置において、前記表示制御部は、前記利き目判定画像として前記立体表示部に操作用のアイコン画像を表示させることを特徴としている。これによれば、通常のアイコン画像のクリックの操作が行われると、ユーザに利き目判定を全く意識させずに内部で自動的に利き目判定を行うことができ、その判定結果を他の制御に活かすことができる。【００１４】
本発明の第３の態様に係る立体表示装置は第１の態様に係る立体表示装置において、前記表示制御部は、前記利き目判定画像として前記立体表示部にスタートボタン、ログインボタン等のボタン画像を表示させることを特徴としている。ユーザは、前記立体表示部に表示されるボタン画像を利き目判定を意識せずにタッチ操作するため、第３の態様に係る立体表示装置は、ユーザに利き目判定を意識させずに内部で自動的に利き目判定を行うことができる。尚、ボタン画像としては、例えばスタートボタンやログインボタンのように必ずタッチするものが好ましい。【００１５】
本発明の第４の態様に係る立体表示装置は第１の態様に係る立体表示装置において、前記表示制御部は、前記利き目判定画像として前記立体表示部に操作用のつまみを含むスライドバー画像を表示させることを特徴としている。前記スライドバーのつまみにタッチする位置によりユーザの利き目判定を行うことができる。【００１６】
本発明の第５の態様に係る立体表示装置は第１の態様に係る立体表示装置において、前記表示制御部は、前記利き目判定画像として前記立体表示部に線画を表示させ、前記判定部は、前記線画を示す左視点画像及び右視点画像からなる各利き目判定画像の各々の輪郭線の座標と、前記線画をなぞることにより前記座標入力部により連続して取得された座標との平均距離に基づいて前記線画をなぞったユーザの利き目を判定することを特徴としている。前記立体表示部に表示される線画をなぞると、なぞった軌跡が左視点画像の線画に近いか、右視点画像の線画に近いかによりユーザの利き目を判定するようにしている。尚、線画としては、なぞりやすい絵、図形等が好ましい。【００１７】
本発明の第６の態様に係る立体表示装置は第１の態様に係る立体表示装置において、前記表示制御部は、前記利き目判定画像として前記立体表示部に未完成の絵又は図形を表示させ、前記判定部は、前記未完成の絵又は図形を示す左視点画像及び右視点画像からなる各利き目判定画像の各々の基準座標と、前記座標入力部により前記未完成の絵又は図形が完成するように追加された絵又は図形の位置座標とに基づいて前記追加したユーザの利き目を判定することを特徴としている。左視点画像及び右視点画像の未完成の絵又は図形に対して追加される絵又は図形の位置座標が、左視点画像に近いか、又は右視点画像に近いかによりユーザの利き目を判定するようにしている。【００１８】
本発明の第７の態様に係る立体表示装置は第１乃至第６の態様のいずれかに係る立体表示装置において、前記判定部は、前記座標入力部を介して前記位置座標を入力したユーザの利き目を判定することができなかった場合には右目を利き目として判定することを特徴としている。即ち、利き目の判定ができなかった場合には、右目を利き目とする人が左目を利き目とする人よりも多いため、右目を利き目として判定し、少しでも判定ミスを低減するようにしている。【００１９】
本発明の第８の態様に係る立体表示装置は第１乃至第７の態様のいずれかに係る立体表示装置において、ユーザの利き目の情報を装置内部に保存登録する保存登録部を備えたことを特徴としている。ユーザの利き目の情報を装置内に登録することができ、これにより毎回利き目の判定を行う必要がなくなる。【００２０】
本発明の第９の態様に係る立体表示装置は第８の態様に係る立体表示装置において、前記保存登録部は、前記判定部による判定結果に基づいて自動的に利き目の情報を保存登録することを特徴としている。【００２１】
本発明の第１０の態様に係る立体撮像装置は第８又は第９の態様に係る立体表示装置において、前記保存登録部は、ユーザからの指示入力により該ユーザの利き目の情報を受け付ける利き目情報入力部を有し、前記利き目情報入力部により受け付けたユーザの利き目の情報を保存登録することを特徴としている。【００２２】
第９又は第１０の態様によれば、ユーザの利き目の情報を自動的に登録し、又はユーザが自分で利き目を判断して登録することができる。【００２３】
本発明の第１１の態様に係る立体表示装置は第８乃至第１０の態様のいずれかに係る立体表示装置において、前記立体表示部に表示された立体視画像上の所望の対象画像の位置座標を前記座標入力部を介して受け付ける位置入力部を備え、前記位置入力部により受け付けた位置座標を、前記立体視画像の左視点画像及び右視点画像のうちの前記保存登録部に登録されたユーザの利き目の情報に対応する利き目側の視点画像上の座標位置として取り扱うことを特徴としている。これにより、ユーザが意図した位置座標と装置側が判断する視点画像上の位置座標とのずれを低減することができ、前記座標入力部の操作性の向上を図ることができる。【００２４】
本発明の第１２の態様に係る立体表示装置は第１乃至第１１の態様のいずれかに係る立体表示装置において、前記座標入力部は、前記立体表示部の表示面上に設けられたタッチパネルであることを特徴としている。【００２５】
本発明の第１３の態様に係る立体表示装置は第８乃至第１２の態様のいずれかに係る立体表示装置において、前記立体表示部に左視点画像及び右視点画像からなる立体視画像を表示させる３Ｄ表示モードと、前記立体視画像を構成する左視点画像及び右視点画像のうちのいずれか一方の視点画像を表示させる２Ｄ表示モードとを切り替える表示モード切替部を備え、前記表示制御部は、前記表示モード切替部により２Ｄ表示モードへの切替時に、前記保存登録部に登録されたユーザの利き目の情報に基づいて前記左視点画像及び右視点画像のうちのユーザの利き目側の視点画像を前記立体表示部に表示させることを特徴としている。【００２６】
これにより、立体視画像（３Ｄ画像）から左視点画像又は右視点画像のいずれかの視点画像（２Ｄ画像）への表示切替時の見易さを向上させることができる。【００２７】
本発明の第１４の態様に係る立体表示装置は第１３の態様に係る立体表示装置において、前記座標入力部は、前記立体表示部の表示面上に設けられたタッチパネルであり、前記表示モード切替部は、前記タッチパネルによりタッチが検知されるごとに前記２Ｄ表示モードと３Ｄ表示モードとを交互に切り替えることを特徴としている。これにより、２Ｄ表示モードと３Ｄ表示モードとの切り替えを簡単に行うことができる。【００２８】
本発明の第１５の態様に係る立体表示装置は第１３の態様に係る立体表示装置において、前記表示モード切替部は、前記タッチパネルによりタッチが検知されると、前記２Ｄ表示モードに切り替え、前記タッチパネルによりタッチが検知されないと、又は一定時間以上タッチが検知されないと、前記３Ｄ表示モードに切り替えることを特徴としている。これにより、タッチパネルに触れ続けている場合、又は一定時間以上の間隔を空けずに連続的にタッチパネルを操作している場合には、利き目側の視点画像（２Ｄ画像）のみが表示されるため、操作性が向上する。【００２９】
本発明の第１６の態様に係る立体表示装置は第８乃至第１５の態様のいずれかに係る立体表示装置において、前記立体表示部に表示させる左視点画像及び右視点画像からなる立体視画像の左右の視差量を検出する視差量検出部と、前記視差量検出部により検出された視差量のうち、予め設定された視差量又はユーザにより指定された二重に見える領域の視差量を越える視差量を有する領域を抽出する領域抽出部と、前記領域抽出部により抽出された領域の立体視画像を、前記保存登録部に登録されたユーザの利き目の情報に対応する利き目側の視点画像のみに置き換える画像置換え部と、を備えたことを特徴としている。【００３０】
立体視画像内で視差量の大きい領域が二重に見える場合がある。二重に見えるよりは、２Ｄ画像の方が良いため、二重に見える領域を利き目側の視点画像（２Ｄ画像）に置き換えるようにしている。ここで、２Ｄ画像に置き換える領域は、予め設定された視差量を越える領域として自動抽出するようにしてもよいし、ユーザが二重に見える領域を前記座標入力部で指定するようにしてもよい。【００３１】
本発明の第１７の態様に係る立体撮像装置は第８乃至第１６の態様のいずれかに係る立体表示装置を備えた立体撮影装置において、２次元画像を撮影する２Ｄ撮影モードと、左視点画像と右視点画像からなる立体視画像を撮影する３Ｄ撮影モードとを切り替える撮影モード切替部と、前記撮影モード切替部により前記２Ｄ撮影モードに切り替えられると、前記左視点画像及び右視点画像のうち前記保存登録部に登録されたユーザの利き目の情報に対応する利き目側の視点画像を前記立体表示部にスルー画像として表示させる制御部と、を備えたことを特徴としている。【００３２】
これによれば、立体撮影装置による２Ｄ撮影モードによる２Ｄ画像の撮影がしやすくなるとともに、利き目の方が疲れにくく、撮影者は情報量を多く取得することができる。【００３３】
本発明の第１８の態様は、立体表示部と、前記立体表示部の表示面上の所望の位置座標を入力する座標入力部とを有する立体表示装置を使用した利き目判定方法であって、ユーザの利き目を判定するための左視点画像及び右視点画像からなる利き目判定画像であって、左視点画像と右視点画像とでそれぞれ異なる基準座標を表す利き目判定画像を前記立体表示部に表示させる工程と、前記立体表示部に表示された利き目判定画像に対して前記座標入力部を介してユーザにより入力された位置座標を取得する工程と、前記左視点画像及び右視点画像からなる各利き目判定画像の各々の基準座標と前記取得された位置座標とに基づいて前記取得された位置座標が左視点画像の基準座標及び右視点画像の基準座標のいずれに近いかに応じて前記座標入力部を介して前記位置座標を入力したユーザの利き目を判定する工程と、を含むことを特徴としている。【００３４】
本発明の第１９の態様は、第１８の態様に係る利き目判定方法を前記立体表示装置に実行させるプログラムを提供する。【００３５】
本発明の第２０の態様は、第１９の態様に係る利き目判定プログラムのコンピュータ読取可能なコードを記録した記録媒体を提供する。
【発明の効果】
【００３６】
本発明によれば、立体表示部に立体視表示された利き目判定用の利き目判定画像に対してユーザが所望の位置座標を指示入力するだけで、簡単にユーザの利き目を判定することができる。また、この判定結果を利用することで、立体視画像上の所望の位置座標を入力する場合に、ユーザが意図した位置座標を取得することができ、タッチパネル等の座標入力部での操作性の向上を図ることができる。
【図面の簡単な説明】
【００３７】
【図１】図１は本発明に係る立体表示装置の第１の実施の形態を示すブロック図であり；
【図２】図２は利き目判定処理と利き目情報の保存・登録を示すフローチャートであり；
【図３】図３は利き目判定画像とその利き目判定画像にタッチする様子を示す図であり；
【図４】図４は左視点差分ＤＬ，右視点差分ＤＲの算出方法を説明するために用いた図であり；
【図５】図５は本発明に係る立体表示装置の第２の実施の形態を示すブロック図であり；
【図６】図６はユーザがタッチした立体視画像上の位置座標を決定する処理手順を示すフローチャートであり；
【図７】図７は立体視画像上でタッチした位置が左視点画像上の位置か右視点画像上の位置かを示す図であり；
【図８】図８は本発明に係る立体表示装置の第３の実施の形態を示すブロック図であり；
【図９】図９は立体視画像（３Ｄ画像）の表示状態から左視点画像又は右視点画像の２Ｄ画像に切り替える場合の処理手順を示すフローチャートであり；
【図１０】図１０は立体視画像（３Ｄ画像）の表示状態からユーザの利き目側の視点画像（２Ｄ画像）への表示切替を示す図であり；
【図１１】図１１は本発明の第４の実施の形態を示すフローチャートであり；
【図１２】図１２は本発明の第４の実施の形態による立体視画像（３Ｄ画像）とユーザの利き目側の視点画像（２Ｄ画像）との表示切替を示す図であり；
【図１３】図１３は本発明に係る立体撮影装置の実施の形態（第５の実施の形態）を示すブロック図であり；
【図１４】図１４は本発明の第５の実施の形態によりスルー画を表示する立体撮影装置を示す図であり；
【図１５】図１５は立体撮影装置で立体視画像又は２Ｄ画像を撮影する場合の処理手順を示すフローチャートであり；
【図１６】図１６は本発明に係る立体表示装置の第６の実施の形態を示すブロック図であり；
【図１７】図１７は立体撮影装置により奥行き方向に離れた物体（被写体）を撮影する様子を示す図であり；
【図１８】図１８は本発明の第６の実施の形態を示すフローチャートであり；
【図１９】図１９は視差が大きくなる左視点画像の一部の画像を、右視点画像の対応する一部の画像に置き換える様子を示す図であり；
【図２０】図２０は利き目判定画像としてボタン画像を使用し、その利き目判定画像にタッチする様子を示す図であり；
【図２１】図２１は利き目判定画像として１軸のスライドバー画像を使用する場合の表示画面を示す図であり；
【図２２】図２２は利き目判定画像として１軸タイプのスライドバー画像を使用し、その利き目判定画像にタッチする様子を示す図であり；
【図２３】図２３は利き目判定画像として２軸タイプのスライドバー画像を使用する場合の立体表示部の表示画面を示す図であり；
【図２４】図２４は利き目判定画像としてウサギを示す線画を使用する場合の立体表示部の表示画面を示す図であり；
【図２５】図２５は利き目判定画像として未完成の絵（耳のないウサギの画像）を使用する場合の立体表示部の表示画面を示す図であり；
【図２６】図２６は立体表示部の表示画面に表示されている利き目判定画像に不足する画像（耳の画像）を追加する様子を示す図であり；
【図２７】図２７は本発明の第７の実施の形態を示すフローチャートであり；
【図２８】図２８は立体視画像上でタッチしたと思っている場所と、左右の視点画像上で実際にタッチされた位置との関係を示す図である。
【発明を実施するための形態】
【００３８】
以下、添付図面に従って本発明に係る立体表示装置及び立体撮影装置、並びに利き目判定方法及びこれに用いる利き目判定プログラム並びに記録媒体の実施の形態について説明する。
【００３９】
＜第１の実施の形態＞
図１は本発明に係る立体表示装置の第１の実施の形態を示すブロック図である。図１に示すように、この立体表示装置１は、主としてメモリー部１０、表示制御部１２、立体表示部１４、スピーカー部１６、入出力部１８、記録媒体記録部２０、タッチパネル２２、及び利き目判定処理部２４から構成されている。
【００４０】
メモリー部１０は、フラッシュメモリー、ＲＡＭ等を含み、本発明に係る利き目判定プログラム、ファームウエア、左視点画像及び右視点画像からなる利き目判定用の利き目判定画像、各利き目判定画像の基準座標、及びユーザの利き目情報を記憶するとともに、立体表示部１４に表示する表示用の画像データ等を一時記憶するメモリーとして機能する。なお上記利き目判定プログラム等は、ＨＤＤやＣＤ／ＤＶＤ／ＢＤ等の光磁気記録媒体に記憶されたものを用いるようにしてもよい。
【００４１】
表示制御部１２は、立体表示部１４に利き目判定用の利き目判定画像、立体視画像（３Ｄ画像）、利き目側の視点画像（２Ｄ画像）、通常の２Ｄ画像、その他、ＧＵＩ用の画像等を表示させる部分であり、中央処理装置（ＣＰＵ）などが考えられる。
【００４２】
立体表示部１４は、２視点画像（左視点画像、右視点画像）をパララックスバリアによりそれぞれ所定の指向性をもった指向性画像として表示できる液晶モニタである。尚、立体表示部１４としては、レンチキュラレンズを使用するものや、偏光メガネ、液晶シャッタメガネなどの専用メガネをかけることで左視点画像と右視点画像とを個別に見ることができるものなどが適用できる。
【００４３】
スピーカー部１６は、音声付き画像（静止画、動画）の再生時に音声データに基づいて音声を発生する。入出力部１８は、パソコン等の外部機器との間で画像データ等の情報を入出力するインターフェースである。記録媒体記録部２０は、メモリカード等の着脱自在な記録媒体３０に対して画像データ等の読み書きを行う。
【００４４】
タッチパネル２２は、立体表示部１４の表示面上に設けられており、ユーザがタッチパネル２２上の任意の位置にタッチすると、そのタッチした位置の２次元座標データが利き目判定処理部２４及び立体タッチ位置座標決定部２６に送出される。
【００４５】
利き目判定処理部２４は、利き目判定処理時にタッチパネル２２から取得されるタッチした位置の座標データに基づいてタッチパネル２２をタッチしたユーザの利き目を判定する。尚、この利き目判定の詳細につては後述する。
【００４６】
図２は利き目判定処理と利き目情報の保存・登録を示すフローチャートである。以下、図２に示すフローチャートにしたがって本発明に係る利き目判定方法・利き目判定プログラム等について説明する。
【００４７】
［ステップＳ１０］
利き目設定・判定を開始する。利き目の判定は、実際には立体表示装置１を立ち上げた時などに、スタートボタンの操作や日付け設定などを行うときに、ユーザがタッチパネル操作を行う処理の中で自動的に行われるのが理想であるが、利き目設定・判定のメニューを選択することで開始するようにしてもよい。
【００４８】
［ステップＳ１２］
表示制御部１２は、利き目設定・判定が開始されると、まず立体表示部１４に利き目の情報をユーザが入力か否かを選択する画面を表示させる。ここで、タッチパネル２２でユーザが利き目の情報を入力する場合（「Ｙｅｓ」の場合）には、ステップＳ１４に遷移し、ユーザが入力しない場合（「Ｎｏ」の場合）には、ステップＳ１６に遷移する。
【００４９】
［ステップＳ１４］
表示制御部１２は、立体表示部１４に「利き目は右ですか？左ですか？」を表示させ、ユーザに利き目の選択を促す。ユーザが自分の利き目を選択すると、その選択した利き目の情報を読み込み、メモリー部１０又は記録媒体３０に保存して終了する。
【００５０】
［ステップＳ１６］
表示制御部１２は、立体表示部１４に前回の利き目判定結果もしくは、保存済みの利き目の情報を使うかを選択する画面を表示させる。前回又は保存済みの利き目の情報を使う場合には、ステップＳ１８に遷移し、使わない場合にはステップＳ２０に遷移する。
【００５１】
［ステップＳ１８］
利き目情報をメモリー部１０又は記録媒体３０から読み込み終了する。
【００５２】
［ステップＳ２０］
表示制御部１２は、立体表示部１４に利き目判定を行うか否かを選択させる画面を表示させる。利き目判定を行わない場合にはステップＳ２２に遷移し、利き目の判定を行う場合にはステップＳ２４に遷移する。
【００５３】
［ステップＳ２２］
利き目の設定を行わずに終了する。
【００５４】
［ステップＳ２４］
図３に示すように表示制御部１２は、立体表示部１４に利き目判定画像と、「十字の中心を押してください」という文字を表示させる。
【００５５】
この利き目判定画像は、左視点画像及び右視点画像からなる立体視画像であり、この実施形態では、丸に十字が入ったマーク画像である。尚、利き目判定画像及び各画像の基準座標（十字の中心座標）は、メモリー部１０に保存されている。また、利き目判定画像は、この実施形態のものに限らず、視差を持つ画像であり、ユーザの押す場所が指定できるものであれば如何なるものでもよい。
【００５６】
例えば、立体表示部１４に表示される操作用の１ないし複数のアイコン画像を利き目判定画像として利用するようにしてもよい。これによれば、アイコン画像のタッチ操作、クリック操作等が行われているときに、内部で自動的に利き目判定を行うことができる。
【００５７】
［ステップＳ２６］
利き目判定処理部２４は、立体表示部１４の画面上の利き目判定画像が押されたか否か（タッチパネル２２がタッチされたか否か）を検知する。所定時間以上、押されない場合（「Ｎｏ」の場合）には、ステップＳ２８に遷移し、押された場合（「Ｙｅｓ」の場合）には、ステップＳ３０に遷移する。
【００５８】
［ステップＳ２８］
利き目判定処理部２４は、利き目判定画像が押されたことが検知できないと判断すると、利き目を右目として判定し、その判定結果を読み込んでメモリー部１０又は記録媒体３０に保存して終了する。これは、右目を利き目とする人が左目を利き目とする人よりも多いため、右目を利き目とすることで、少しでも判定ミスを低減するためである。
【００５９】
［ステップＳ３０］
利き目判定処理部２４は、利き目判定画像の押された位置座標をタッチパネル２２を介して取得し、この位置座標と利き目判定画像の左視点画像及び右視点画像の各基準位置とに基づいてユーザの利き目を判定する。
【００６０】
即ち、図４及び下記の［数１］式、［数２］に示すように左視点差分ＤＬ，右視点差分ＤＲを算出する。
【００６１】
［数１］
左視点差分ＤＬ＝｜((1)左視点画像の押された座標)-((2)左視点画像の十字の中心)|
0005450791.tif 000002
【００６２】
［数２］
右視点差分ＤＲ＝｜((1)右視点画像の押された座標)-((2)右視点画像の十字の中心)|
0005450791.tif 000003
【００６３】
そして、ＤＬ＜ＤＲの場合は、左目を利き目と判定し、ＤＲ≦ＤＬの場合は、右目を利き目と判定する。尚、ＤＲ＝ＤＬの場合には、利き目の判定は不能であるが、この場合には、ステップＳ２８と同様に、利き目を右目として判定する。
【００６４】
このようにして判定したユーザの利き目の情報をメモリー部１０又は記録媒体３０に保存して終了する。
【００６５】
本方法を使用すると、立体表示部１４に表示された利き目判定画像をタッチするだけで、利き目の判別ができ、その結果を登録することができる。
【００６６】
＜第２の実施の形態＞
図５は本発明に係る立体表示装置の第２の実施の形態を示すブロック図である。尚、図１に示した第１の実施の形態と共通する部分には同一の符号を付し、その詳細な説明は省略する。
【００６７】
図５に示すように第２の実施の形態の立体表示装置２は、第１の実施の形態のものに比べて立体タッチ位置座標決定部２６が追加されている点で相違する。
【００６８】
立体タッチ位置座標決定部２６は、ユーザの利き目の情報とタッチパネル２２から取得されるタッチした位置の座標データとに基づいてユーザがタッチした立体視画像上の位置座標を決定する。
【００６９】
図６はユーザがタッチした立体視画像上の位置座標を決定する処理手順を示すフローチャートであり、以下、図６に示すフローチャートにしたがって説明する。
【００７０】
［ステップＳ４０］
立体表示装置２による立体視表示を開始する。尚、立体視表示の開始時には、前述したようにメモリー部１０又は記録媒体３０にユーザの利き目情報が登録されているものとする。
【００７１】
［ステップＳ４２］
立体タッチ位置座標決定部２６は、メモリー部１０又は記録媒体３０から予め登録されたユーザの利き目情報を読み込む。
【００７２】
［ステップＳ４４］
表示制御部１２は、メモリー部１０又は記録媒体３０から立体視画像を読み込み、又は外部機器から入出力部１８を介して立体視画像を読み込み、読み込んだ立体視画像を立体表示部１４に表示させる。
【００７３】
［ステップＳ４６］
ユーザは、表示された立体視画像を操作する際にタッチパネル２２をタッチするが、立体タッチ位置座標決定部２６は、ユーザが立体表示部１４の画面（タッチパネル２２）をタッチしたか否かを判定する。そして、タッチされたことが検知されると、ステップＳ４８に遷移する。
【００７４】
［ステップＳ４８］
タッチされたタッチパネル２２上の座標（ｘ，ｙ）を、表示されている立体視画像のうちのユーザの利き目側の視点画像上の座標として読み込み、メモリー部１０に保存する。
【００７５】
即ち、図７に示すように利き目が右目の場合、立体表示部１４に表示された立体視画像（左視点画像及び右視点画像）上の任意の位置がタッチされると、そのタッチ座標（ｘ，ｙ）は、右視点画像上の座標として扱う。これにより、ユーザが立体視画像上でタッチしたと思った場所と、実際にタッチ位置として検知される視点画像上の場所とのずれがなくなり、又はずれを低減することができ、タッチパネル２２による立体視画像の操作性が向上する。
【００７６】
例えば、ある被写体にタッチし、その被写体をズーム表示させる場合に、ズーム中心を正しく指示することができ、また、ソフトボタンや各種アイコン等が立体視表示されている場合に、ソフトボタン等の誤操作を防止することができる。
【００７７】
＜第３の実施の形態＞
図８は本発明に係る立体表示装置の第３の実施の形態を示すブロック図である。尚、図１に示した第１の実施の形態と共通する部分には同一の符号を付し、その詳細な説明は省略する。
【００７８】
図８に示すように第３の実施の形態の立体表示装置３は、第１の実施の形態のものに比べて３Ｄ・２Ｄ表示モード切替部２８が追加されている点で相違する。
【００７９】
３Ｄ・２Ｄ表示モード切替部２８は、立体視画像（３Ｄ画像）からその３Ｄ画像の左視点画像又は右視点画像の２Ｄ画像への切替時に、左視点画像又は右視点画像のいずれの視点画像を表示させるかをユーザの利き目情報に基づいて切替指示するものである。
【００８０】
図９は立体視画像（３Ｄ画像）の表示状態から左視点画像又は右視点画像の２Ｄ画像に切り替える場合の処理手順を示すフローチャートであり、以下、図９に示すフローチャートにしたがって説明する。
【００８１】
［ステップＳ５０］
立体表示装置３による立体視表示を開始する。尚、立体視表示の開始時には、メモリー部１０又は記録媒体３０にユーザの利き目情報が登録されているものとする。
【００８２】
［ステップＳ５２］
３Ｄ・２Ｄ表示モード切替部２８は、メモリー部１０又は記録媒体３０から予め登録されたユーザの利き目情報を読み込む。
【００８３】
［ステップＳ５４］
表示制御部１２は、メモリー部１０又は記録媒体３０から立体視画像を読み込み、又は外部機器から入出力部１８を介して立体視画像を読み込み、読み込んだ立体視画像（３Ｄ画像）を立体表示部１４に表示させる。
【００８４】
［ステップＳ５６］
ユーザは、図示しない表示モード切替えボタン又はタッチパネル２２などを押して、立体視画像（３Ｄ画像）から左視点画像又は右視点画像の２Ｄ画像への切替え指示を行うことができる。表示制御部１２は、ユーザによる３Ｄ画像から２Ｄ画像への切替指示の有無を判別し、２Ｄ画像への切替指示がない場合（「Ｎｏ」の場合）にはステップＳ５４に遷移させ、２Ｄ画像への切替指示がある場合（「Ｙｅｓ」の場合）にはステップＳ５８に遷移させる。
【００８５】
［ステップＳ５８］
３Ｄ・２Ｄ表示モード切替部２８は、３Ｄ画像から２Ｄ画像に切り替える場合には、ステップＳ５２で読み込んだユーザの利き目情報に基づいてそのユーザの利き目側の視点画像（２Ｄ画像）を立体表示部１４に表示させ、又は表示制御部１２に対して左視点画像又は右視点画像のうちのいずれの視点画像を表示させるかの指示を与え、ユーザの利き目側の視点画像のみを立体表示部１４に表示させる。
【００８６】
図１０に示すように利き目が右目であるとすると、立体表示部１４に表示された立体視画像（３Ｄ画像）から左視点画像又は右視点画像の２Ｄ画像に切り替える場合、利き目側の視点画像である右視点画像（２Ｄ画像）を表示させる。
【００８７】
［ステップＳ６０］
表示制御部１２は、ユーザによる２Ｄ画像から３Ｄ画像への切替指示の有無を判別し、３Ｄ画像への切替指示がない場合（「Ｎｏ」の場合）にはステップＳ５８に遷移させ、３Ｄ画像への切替指示がある場合（「Ｙｅｓ」の場合）にはステップＳ５４に遷移させる。
【００８８】
本方法を使用すると、立体視画像（３Ｄ画像）の表示状態から２Ｄ画像に表示切替をするときに、表示モードの切り替わりに伴う違和感を低減することができ、見易さを向上させることができる。
【００８９】
＜第４の実施の形態＞
図１１は本発明の第４の実施の形態を示すフローチャートである。尚、立体表示装置の構成は、図８に示した第３の実施の形態のものと同一であり、後述するように処理内容のみが相違する。以下、図１１に示すフローチャートにしたがって説明する。
【００９０】
［ステップＳ７０］
立体表示装置による立体視表示を開始する。尚、立体視表示の開始時には、メモリー部１０又は記録媒体３０にユーザの利き目情報が登録されているものとする。
【００９１】
［ステップＳ７２］
３Ｄ・２Ｄ表示モード切替部２８は、メモリー部１０又は記録媒体３０から予め登録されたユーザの利き目情報を読み込む。
【００９２】
［ステップＳ７４］
タッチパネル２２にタッチし続けているときに２Ｄ表示する第１のモードにするか、タッチパネル２２をタッチするごとに３Ｄ表示と２Ｄ表示とを切り替える第２のモードにするかを判別する。この判別は、立体表示部１４に表示されたメニュー画面等で毎回ユーザによるモードの選択操作に基づいて判別する方法や、事前にいずれか一方のモードを選択登録し、その登録されたモードに基づいて判別する方法が考えられる。
【００９３】
タッチし続けているときに２Ｄ表示する第１のモードが選択された場合（「Ｙｅｓ」の場合）には、ステップＳ７２に遷移し、タッチパネル２２をタッチするごとに３Ｄ表示と２Ｄ表示とを切り替える第２のモードが選択された場合（「Ｎｏ」の場合）には、ステップＳ８４に遷移する。
【００９４】
［ステップＳ７６］
表示制御部１２は、メモリー部１０又は記録媒体３０から立体視画像を読み込み、又は外部機器から入出力部１８を介して立体視画像を読み込み、読み込んだ立体視画像（３Ｄ画像）を立体表示部１４に表示させる。
【００９５】
［ステップＳ７８］
表示制御部１２は、立体視画像（３Ｄ画像）の表示中にユーザがタッチパネル２２にタッチしているか否かを判別する。タッチパネル２２にタッチしている場合（「Ｙｅｓ」の場合）には、ステップＳ８０に遷移し、タッチしていない場合（「Ｎｏ」の場合）には、ステップＳ７６に遷移する。
【００９６】
［ステップＳ８０］
３Ｄ・２Ｄ表示モード切替部２８は、３Ｄ画像から２Ｄ画像に切り替える場合には、ステップＳ７２で読み込んだユーザの利き目情報に基づいてそのユーザの利き目側の視点画像（２Ｄ画像）を立体表示部１４に表示させ、又は表示制御部１２に対して左視点画像又は右視点画像のうちのいずれの視点画像を表示させるかの指示を与え、ユーザの利き目側の視点画像のみを立体表示部１４に表示させる。
【００９７】
［ステップＳ８２］
表示制御部１２は、ユーザの利き目側の視点画像（２Ｄ画像）の表示中にユーザがタッチパネル２２にタッチしているか否かを判別する。タッチパネル２２にタッチしている場合（「Ｙｅｓ」の場合）には、ステップＳ８０に遷移し、タッチしていない場合（「Ｎｏ」の場合）には、ステップＳ７６に遷移する。
【００９８】
これにより、ユーザがタッチパネル２２を連続操作している期間中は、２Ｄ画像の表示が維持され、操作時の画面の見易さ、操作性が向上する。尚、ステップＳ８２での「タッチしていない」の判断は、タッチパネル２２によりタッチが検知されない場合に限らず、一定時間以上タッチが検知されない場合としてもよい。これによれば、一連のタッチパネルの操作中に３Ｄ画像に切り替わるのを防止することができる。
【００９９】
［ステップＳ８４］
表示制御部１２は、ステップＳ７６と同様にメモリー部１０又は記録媒体３０から立体視画像を読み込み、又は外部機器から入出力部１８を介して立体視画像を読み込み、読み込んだ立体視画像（３Ｄ画像）を立体表示部１４に表示させる。
【０１００】
［ステップＳ８６］
表示制御部１２は、立体視画像（３Ｄ画像）の表示中にユーザがタッチパネル２２にタッチ（クリック）したか否かを判別する。タッチパネル２２をクリックした場合（「Ｙｅｓ」の場合）には、ステップＳ８８に遷移し、クリックしていない場合（「Ｎｏ」の場合）には、ステップＳ８４に遷移する。
【０１０１】
［ステップＳ８８］
表示制御部１２は、立体視画像（３Ｄ画像）の表示中にタッチパネル２２がワンタッチ（ワンクリック）されると、立体表示部１４に表示された立体視画像（３Ｄ画像）からユーザの利き目側の視点画像（２Ｄ画像）の表示に切り替える。
【０１０２】
図１２に示すように利き目が右目であるとすると、タッチパネル２２のワンタッチにより立体視画像（３Ｄ画像）から利き目側の右視点画像（２Ｄ画像）を表示させることができる。
【０１０３】
［ステップＳ９０］
表示制御部１２は、ユーザの利き目側の視点画像（２Ｄ画像）の表示中にユーザがタッチパネル２２にタッチ（クリック）したか否かを判別する。タッチパネル２２をクリックした場合（「Ｙｅｓ」の場合）には、ステップＳ８４に遷移し、クリックしない場合（「Ｎｏ」の場合）には、ステップＳ８８に遷移する。
【０１０４】
本方法を使用すると、タッチパネル２２へのタンタッチ（ワンクリック）で、立体視画像（３Ｄ画像）と利き目側の視点画像（２Ｄ画像）とを交互に切り替え表示させることができ、操作性が向上する。
【０１０５】
＜第５の実施の形態＞
図１３は本発明に係る立体撮影装置の実施の形態（第５の実施の形態）を示すブロック図である。尚、図１に示した第１の実施の形態と共通する部分には同一の符号を付し、その詳細な説明は省略する。
【０１０６】
図１３に示す立体撮影装置５は、図１に示した立体表示装置１を持つ装置であり、図１に示した立体表示装置１の他に、立体撮影部３２及び２Ｄスルー画表示視点選択部３４を備えている。
【０１０７】
立体撮影部３２は、例えば２視点画像（左視点画像及び右視点画像）を同時に撮影することができる左右一対の撮影部であり、この立体撮影部３２により撮影された左視点画像及び右視点画像は、適宜画像処理されたのち記録媒体３０に記録される。
【０１０８】
立体表示部１４は、図１４に示すように立体撮影装置５の背面に設けられており、立体視画像の再生時の表示用デバイスとして機能するとともに、撮影時には立体撮影部３２により連続して撮影される動画としての３Ｄ画像又は２Ｄ画像（スルー画）を表示し、ビューファインダとして機能する。
【０１０９】
また、この立体撮影装置５は、立体視画像（３Ｄ画像）を撮影する３Ｄ撮影モードと、左視点画像又は右視点画像の２Ｄ画像を撮影する２Ｄ撮影モードとを有し、これらの撮影モードを選択するための撮影モード切替部を備えている。
【０１１０】
２Ｄスルー画表示視点選択部３４は、立体視画像（３Ｄ画像）のスルー画から左視点画像又は右視点画像の２Ｄ画像のスルー画への切替時に、左視点画像又は右視点画像のいずれの視点画像のスルー画を表示させるかを、ユーザの利き目情報に基づいて切替指示するものである。
【０１１１】
図１５は上記立体撮影装置５により立体視画像又は２Ｄ画像を撮影する場合の処理手順を示すフローチャートであり、以下、図１５に示すフローチャートにしたがって説明する。
【０１１２】
［ステップＳ１００］
立体撮影装置５によりスルー画の撮影を開始する。尚、撮影開始時には、メモリー部１０又は記録媒体３０にユーザの利き目情報が登録されているものとする。
【０１１３】
［ステップＳ１０２］
２Ｄスルー画表示視点選択部３４は、メモリー部１０又は記録媒体３０から予め登録されたユーザの利き目情報を読み込む。
【０１１４】
［ステップＳ１０４］
立体撮影装置５は、３Ｄ撮影モードから２Ｄ撮影モードへの撮影モード切替ボタンが押されたか否かを判別する。２Ｄ撮影モードに切り替えるボタンが押された場合（「Ｙｅｓ」の場合）には、ステップＳ１０６に遷移させ、押されていない場合（「Ｎｏ」の場合）には、ステップＳ１０８に遷移させる。
【０１１５】
［ステップＳ１０６］
２Ｄスルー画表示視点選択部３４は、ステップＳ１０２で読み込んだユーザの利き目情報に基づいてそのユーザの利き目側の視点画像（２Ｄ画像）を立体撮像部３２により撮影させるとともに、そのスルー画を立体表示部１４に表示させる。
【０１１６】
図１４に示すように利き目が右目であるとすると、立体表示部１４にスルー画として右視点画像（２Ｄ画像）を表示させる。ここで、シャッタレリーズボタンが押下されると、ユーザの利き目側の視点画像（２Ｄ画像）のみが撮影され、記録媒体３０に記録される。
【０１１７】
［ステップＳ１０８］
立体撮影装置５は、立体撮影部３２により立体視画像（左右の２視点画像）を連続的に撮影し、この撮影した立体視画像（３Ｄ画像）をスルー画として立体表示部１４に表示させる。ここで、シャッタレリーズボタンが押下されると、立体視画像（３Ｄ画像）が撮影され、記録媒体３０に記録される。
【０１１８】
本方法によれば、２Ｄ撮影モード時にスルー画を表示する場合にユーザの利き目側の視点画像（２Ｄ画像）を立体表示部１４に表示することができ、２Ｄ画像の撮影のし易さが向上する。また、ユーザは利き目で物を見る方が、違和感がないため疲れにくく、情報量を多く取得することができる利点がある。
【０１１９】
尚、本方法は、静止画の撮影モードに限らず、動画の撮影モード時における３Ｄ画像と２Ｄ画像の切り替え時の表示にも適用することができる。
【０１２０】
＜第６の実施の形態＞
図１６は本発明に係る立体表示装置の第６の実施の形態を示すブロック図である。尚、図１に示した第１の実施の形態と共通する部分には同一の符号を付し、その詳細な説明は省略する。
【０１２１】
図１６に示すように第６の実施の形態の立体表示装置６は、第１の実施の形態のものに比べて画像置換え部３６が追加されている点で相違する。
【０１２２】
図１７に示すように立体撮影装置５により奥行き方向に離れた物体（被写体）を撮影すると、極端に近い物体は視差量が大きく、立体視できずに二重に見えるだけになり、立体視画像としては品位が下がる。
【０１２３】
そこで、本発明の第６の実施の形態では、視差が指定画素以上の被写体を自動指定し、もしくはユーザが二重に見える被写体を指定した場合、その被写体部分の立体視画像を利き目側の視点画像に置き替えることで、立体視画像の品質を向上させる。
【０１２４】
即ち、図１６に示す画像置換え部３６は、立体視画像（３Ｄ画像）の左右の視差量を検出する視差量検出部と、検出された視差量のうち予め設定された視差量（指定画素数）、又はユーザにより指定された二重に見える領域の視差量を越える被写体領域を抽出する領域抽出部とを有し、抽出された被写体領域の立体視画像を、メモリー部１０又は記録媒体３０から予め登録されたユーザの利き目の情報に対応する利き目側の視点画像のみに置き換えるようにしている。
【０１２５】
図１８は本発明の第６の実施の形態を示すフローチャートであり、以下、図１８に示すフローチャートにしたがって説明する。
【０１２６】
［ステップＳ１１０］
立体表示装置６による立体視表示を開始する。尚、立体視表示の開始時には、メモリー部１０又は記録媒体３０にユーザの利き目情報が登録されているものとする。
【０１２７】
［ステップＳ１１２］
画像置換え部３６は、メモリー部１０又は記録媒体３０から予め登録されたユーザの利き目情報を読み込む。
【０１２８】
［ステップＳ１１４］
表示制御部１２は、自動で置換え部分を選択するか置換えモードか否か（手動で置換え部分を指定する置換えモードか）の指示入力を受け付ける画面を立体表示部１４に表示させ、ユーザの入力を促す。自動で置換え部分を選択する置換えモードが選択された場合（（「Ｙｅｓ」の場合）には、ステップＳ１１６に遷移し、手動で置換え部分を指定する置換えモードが選択された場合（「Ｎｏ」の場合）には、ステップＳ１２２に遷移する。
【０１２９】
［ステップＳ１１６］
画像置換え部３６の領域抽出部は、立体視画像から視差量が予め設定された視差量以上となる場所を求める。予め設定される視差量としては、例えばデフォルトで１０画素と設定しておき、このデフォルト値をユーザが任意に設定できるようにしてもよい。これは、ユーザにより立体視できる融合限界が異なるからである。
【０１３０】
［ステップＳ１１８］
画像置換え部３６は、ステップＳ１１２で読み込んだユーザの利き目情報に基づいて、前記求めた場所のユーザの利き目側でない視点画像を、ユーザの利き目側の視点画像（２Ｄ画像）に置き替える。
【０１３１】
図１９に示すように円柱部分の左右の視点画像の視差が予め設定された視差量よりも大きく、またユーザの利き目が右目であるとすると、左視点画像の円柱部分の画像を右視点画像の円柱部分の画像に置き替える。
【０１３２】
［ステップＳ１２０］
表示制御部１２は、ステップＳ１１８で置換え済みの立体視画像を立体表示部１４に表示させる。これにより二重に見える場所がなくなり、立体視画像の品質を向上させることができる。
【０１３３】
本方法は、「二重に見えるよりは、２Ｄ画像の方が良い」という考えに基づいている。
【０１３４】
［ステップＳ１２２］
立体表示装置６は、手動で置換え部分を指定する置換えモードが選択された場合には、ユーザによるタッチパネル２２での指示により二重に見える範囲の入力を受け付ける。
【０１３５】
［ステップＳ１２４］
画像置換え部３６は、ステップＳ１２２で受け付けた範囲（入力場所）の立体視画像を、ステップＳ１１２で読み込んだユーザの利き目情報に基づいて、前記入力場所のユーザの利き目側でない視点画像を、ユーザの利き目側の視点画像（２Ｄ画像）に置き替える。尚、ユーザがタッチパネル２２上で二重に見える範囲を指定した場合に、その指定された範囲と同じ視差量を有する範囲を抽出し、この抽出した範囲のユーザの利き目側でない視点画像を、ユーザの利き目側の視点画像（２Ｄ画像）に置き替えるようにしてもよい。
【０１３６】
［ステップＳ１２６］
表示制御部１２は、ステップＳ１２４で置換え済みの立体視画像を立体表示部１４に表示させる。これによりユーザにより範囲指定された二重に見える場所がなくなり、立体視画像の品質を向上させることができる。
【０１３７】
尚、この実施の形態では、立体表示装置６上のタッチパネル２２をユーザが任意に入力する位置座標の座標入力用デバイスとして使用する場合について説明したが、これに限らず、立体表示装置６上にカーソルを２Ｄ表示させ、このカーソルを十字キー等により移動させるとともにＯＫボタンを押すことにより位置座標を入力させるものや、ユーザの指先位置を検出する空間センサなどを座標入力用デバイスとして適用してもよい。
【０１３８】
［利き目判定画像及びタッチ入力の変形例］
＜変形例１＞
図２０は利き目判定画像とその利き目判定画像にタッチする様子を示す図であり、図３に示した丸に十字が入ったマーク画像の代わりに、操作用のボタン画像を使用する変形例１に関して示している。
【０１３９】
図２０に示す変形例１では、利き目判定画像として、スタートボタンやログインボタン等の操作用のボタンを示す画像（ボタン画像）を立体表示部１４に表示させる。このボタン画像は、所定の視差をもった左視点画像及び右視点画像から構成され、また、各画像の基準座標（ボタン画像の中心座標）を有している。
【０１４０】
表示制御部１２（図１参照）は、立体表示部１４に利き目判定画像としてのボタン画像と、「ボタンを押してください」という文字を表示させる。尚、スタートボタンやログインボタンのように必ず押すことになるボタン画像の場合には、「ボタンを押してください」という文字を表示させる必要はなく、ボタン名等を表示させればよい。
【０１４１】
ユーザが立体表示部１４に立体視表示されたボタン画像を押すと、そのボタン画像の押下に対応する処理（スタートやログイン）が行われるとともに、利き目判定処理部２４は、ボタン画像の押された位置座標をタッチパネル２２を介して取得し、この位置座標とボタン画像の左視点画像及び右視点画像の各基準位置とに基づいてユーザの利き目を判定する。この利き目判定方法は、図４及び［数１］式、［数２］に基づいて説明した方法と同様に行うことができる。
【０１４２】
本方法によれば、立体表示部１４に表示された通常使用されるボタン画像をタッチするだけで、利き目の判別が機器側で自動的に行われ、その結果を登録することができる。
【０１４３】
尚、利き目判定の精度を上げるために、複数のボタン画像（同種のボタン画像又は異種のボタン画像のいずれでもよい）のタッチ操作によりそれぞれ判定した利き目判定結果の多数決により最終的な利き目判定を行うようにしてもよい。
【０１４４】
＜変形例２＞
図２１及び図２２は利き目判定画像の変形例２を示す図であり、図２１は立体表示部１４の表示画面を示し、図２２は表示画面に表示されている利き目判定画像にタッチしている様子を示している。
【０１４５】
図２１及び図２２に示す変形例２では、利き目判定画像として、５つの１軸タイプのスライドバーを示す画像（スライドバー画像）を立体表示部１４に表示させる。これらのスライドバー画像は、立体視画像の視差量、明るさ、コントラスト、ホワイトバランス及び音量をそれぞれ調整するスライドバー画像からなり、各スライドバー画像は、所定の視差をもった左視点画像及び右視点画像から構成され、また、各画像の基準座標（スライドバー画像のつまみの中心座標）を有している。
【０１４６】
表示制御部１２（図１参照）は、立体表示部１４に利き目判定画像としての上記のスライドバー画像と、「各種調整をしてください」という文字を表示させる。
【０１４７】
ユーザがスライドバー画像のつまみにタッチし、つまみを移動させる（ドラッグする）と、そのつまみの位置に対応する調整が行われるとともに、利き目判定処理部２４は、スライドバー画像のつまみに最初にタッチされた位置座標をタッチパネル２２を介して取得し、この位置座標とスライドバー画像のつまみの位置（タッチ前のつまみの左視点画像及び右視点画像の各基準位置）とに基づいてユーザの利き目を判定する。この利き目判定方法は、図４及び［数１］式、［数２］に基づいて説明した方法と同様に行うことができる。
【０１４８】
本方法によれば、立体表示部１４に表示された調整用のスライドバー画像をタッチ操作するだけで、利き目の判別が機器側で自動的に行われ、その結果を登録することができる。
【０１４９】
尚、複数のスライドバー画像がタッチ操作された場合には、各タッチ操作に基づいて判定した利き目判定結果の多数決により最終的な利き目判定を行うようにしてもよい。
【０１５０】
＜変形例３＞
図２３は利き目判定画像の変形例３を示す図であり、２軸タイプのスライドバー画像に関して示している。
【０１５１】
図２３に示す変形例３では、利き目判定画像として、２軸タイプのスライドバーを示す画像（スライドバー画像）を立体表示部１４に表示させる。このスライドバー画像は、つまみの左右方向の位置により立体視画像のコントラストを調整し、上下方向の位置により立体視画像の明るさを調整するものであり、所定の視差をもった左視点画像及び右視点画像から構成され、また、各画像の基準座標（スライドバー画像のつまみの中心座標）を有している。
【０１５２】
ユーザがスライドバー画像のつまみにタッチし、つまみを２次元面内で移動させる（ドラッグする）と、そのつまみの位置に対応する調整が行われるとともに、利き目判定処理部２４は、スライドバー画像のつまみに最初にタッチされた２次元の位置座標をタッチパネル２２を介して取得し、この位置座標とスライドバー画像のつまみの位置（タッチ前のつまみの左視点画像及び右視点画像の各基準位置）とに基づいてユーザの利き目を判定する。この利き目判定方法は、図４及び［数１］式、［数２］に基づいて説明した方法と同様に行うことができる。
【０１５３】
尚、上記変形例３の２軸タイプのスライドバー画像の代わりに、立体視可能なジョイスティック画像を使用するようにしてもよい。
【０１５４】
＜変形例４＞
図２４は利き目判定画像の変形例４を示す図であり、この例ではウサギを示す線画に関して示している。
【０１５５】
図２４に示す変形例４では、利き目判定画像として、立体視可能な線画を立体表示部１４に表示させる。この線画は、  ユーザにその輪郭をなぞってもらうためのものであり、所定の視差をもった左視点画像及び右視点画像から構成され、また、各画像における線画の輪郭線の座標を有している
。
【０１５６】
ユーザが立体表示部１４に表示された線画をなぞると、利き目判定処理部２４は、なぞった軌跡の座標をタッチパネル２２を介して取得し、なぞった軌跡の座標と線画の輪郭線の座標（左視点画像及び右視点画像の各輪郭線の座標）とに基づいてユーザの利き目を判定する。この利き目判定方法は、なぞった軌跡の座標と、線画の左視点画像の輪郭線の座標との最短距離の平均距離、及び線画の右視点画像の輪郭線の座標との最短距離の平均距離を求め、これらの平均距離のうちの小さい方（即ち、なぞった軌跡が左視点画像の線画に近いか、右視点画像の線画に近いか）によりユーザの利き目を判定する。
【０１５７】
尚、線画としては、なぞりやすい絵や円などの簡単な図形が好ましい。また、線画の全ての輪郭線をなぞらなくてもユーザの利き目判定を行うことができる。
【０１５８】
＜変形例５＞
図２５及び図２６は利き目判定画像の変形例５を示す図であり、図２５は立体表示部１４の表示画面を示し、図２６は表示画面に表示されている利き目判定画像に不足する画像を追加する様子を示している。
【０１５９】
図２５及び図２６に示す変形例５では、利き目判定画像として、未完成の絵又は図形（図２５では、耳のないウサギの画像）を立体表示部１４に表示させる。この耳のないウサギの画像は、ユーザに不足するパーツ（耳）を描画してもらうためのものであり、所定の視差をもった左視点画像及び右視点画像から構成され、また、各画像における頭部（耳が描画される部分）の輪郭線の座標を有している。
【０１６０】
表示制御部１２（図１参照）は、立体表示部１４に利き目判定画像として、耳のないウサギの画像を表示させるとともに、「ウサギの耳を書き加えてください」という文字を表示させる。
【０１６１】
ユーザが立体表示部１４に表示された耳のないウサギの画像に対して、タッチパネル２２上で指（又はタッチペン）によりウサギの耳を描画すると、表示制御部１２は、描画されたウサギの耳を立体表示部１４に２Ｄ表示させ、一方、利き目判定処理部２４は、描画されたウサギの耳の軌跡（特に耳の付け根部分）の座標をタッチパネル２２を介して取得し、描画されたウサギの耳の座標と、ウサギの頭部の左視点画像及び右視点画像の輪郭線の座標とに基づいてユーザの利き目を判定する。
【０１６２】
即ち、図２６に示すように描画されたウサギの耳の付け根が、ウサギの頭部の左視点画像の輪郭線に一致している（又は近い）か、又は右視点画像の輪郭線に一致している（又は近い）かによりユーザの利き目を判定する。
【０１６３】
尚、この例では、ユーザがウサギの耳を描画するようにしているが、これに限らず、予めウサギの耳の画像（パーツ画像）を用意しておき、そのパーツ画像をドラッグしてウサギの頭部に付けるようにしてもよい。また、未完成の絵は耳のないウサギの絵に限らず、任意のものでよく、また、絵に限らず、図形（例えば、多角形の一辺が欠けているもの）を使用してもよい。
【０１６４】
本方法によれば、描画を楽しみながら利き目の判別が機器側で自動的に行われ、その結果を登録することができる。
【０１６５】
＜第７の実施形態＞
図２７は本発明の第７の実施の形態を示すフローチャートであり、以下、図２７に示すフローチャートにしたがって説明する。
【０１６６】
［ステップＳ１３０］
立体表示装置６による利き目設定・判定を開始させる。
【０１６７】
［ステップＳ１３２］
利き目設定・判定が開始されると、まず、表示制御部１２（図１参照）は、利き目判定方法を選択させるメニューを立体表示部１４に表示させ、ユーザに所望の利き目判定方法を選択させる。利き目判定方法のメニューとして、図２０のボタン画像を使用した利き目判定方法、図２１のスライドバー画像を使用した利き目判定方法、未完成の絵（図２５の耳のないウサギの絵）を使用した利き目判定方法、デフォルトの利き目判定方法（例えば、図３に示した利き目判定画像を使用した利き目判定方法）等が提示され、適宜選択できるようになっている。
【０１６８】
［ステップＳ１３４］
デフォルトの利き目判定方法が選択された場合には、そのデフォルトの利き目判定方法の処理に遷移させる。また、利き目判定を行わない場合には、利き目判定を行わずに終了させる。
【０１６９】
［ステップＳ１３６］
ステップＳ１３２において、図２０のボタン画像を使用した利き目判定方法が選択された場合には、表示制御部１２は、立体表示部１４に利き目判定画像としてボタン画像を表示するとともに、「ボタンを押してください」という文字を表示させる。
【０１７０】
［ステップＳ１３８］
ユーザによりボタン画像が押されると、利き目判定処理部２４は、ボタン画像の押された位置座標をタッチパネル２２を介して取得し、この位置座標がボタン画像の左視点画像の基準位置に近いか、又は右視点画像の基準位置に近いかによりユーザの利き目判定を行い、利き目判定結果を保存して終了する。
【０１７１】
［ステップＳ１４０］
ステップＳ１３２において、図２１のスライドバー画像を使用した利き目判定方法が選択された場合には、表示制御部１２は、立体表示部１４に利き目判定画像としてスライドバー画像を表示するとともに、「各種調整をしてください」という文字を表示させる。
【０１７２】
［ステップＳ１４２］
ユーザによりスライドバー画像のつまみがタッチされて操作されると、利き目判定処理部２４は、最初にタッチされた位置座標をタッチパネル２２を介して取得し、この位置座標がスライドバー画像のつまみの操作前の位置であって、左視点画像のつまみの位置に近いか、又は右視点画像のつまみの位置に近いかによりユーザの利き目判定を行い、利き目判定結果を保存して終了する。
【０１７３】
［ステップＳ１４４］
ステップＳ１３２において、図２５の耳のないウサギの絵を使用した利き目判定方法が選択された場合には、表示制御部１２は、立体表示部１４に利き目判定画像として耳のないウサギの絵を表示するとともに、「ウサギの耳を書き加えてください」という文字を表示させる。
【０１７４】
［ステップＳ１４６］
ユーザによりウサギの耳が書き加えられると、利き目判定処理部２４は、書き加えられたウサギの耳の付け根部分の座標をタッチパネル２２を介して取得し、この耳の付け根部分の座標が、耳のないウサギの頭部の輪郭線の座標であって、左視点画像の頭部の輪郭線の座標に近いか、又は右視点画像の頭部の輪郭線の座標に近いかによりユーザの利き目判定を行い、利き目判定結果を保存して終了する。
【０１７５】
尚、本発明は上述した実施の形態に限定されず、本発明の精神を逸脱しない範囲で種々の変形が可能であることは言うまでもない。
【符号の説明】
【０１７６】
１、２、３、４、６…立体表示装置、５…立体撮影装置、１０…メモリー部、１２…表示制御部、１４…立体表示部、１６…スピーカー部、１８…入出力部、２０…記録媒体記録部、２２…タッチパネル、２４…利き目判定処理部、２６…立体タッチ位置座標決定部、２８…３Ｄ・２Ｄ表示モード切替部、３０…記録媒体、３２…立体撮影部、３４…２Ｄスルー画表示視点選択部、３６…画像置換え部
【図１】
0005450791.tif 000004
【図２】
0005450791.tif 000005
【図３】
0005450791.tif 000006
【図４】
0005450791.tif 000007
【図５】
0005450791.tif 000008
【図６】
0005450791.tif 000009
【図７】
0005450791.tif 000010
【図８】
0005450791.tif 000011
【図９】
0005450791.tif 000012
【図１０】
0005450791.tif 000013
【図１１】
0005450791.tif 000014
【図１２】
0005450791.tif 000015
【図１３】
0005450791.tif 000016
【図１４】
0005450791.tif 000017
【図１５】
0005450791.tif 000018
【図１６】
0005450791.tif 000019
【図１７】
0005450791.tif 000020
【図１８】
0005450791.tif 000021
【図１９】
0005450791.tif 000022
【図２０】
0005450791.tif 000023
【図２１】
0005450791.tif 000024
【図２２】
0005450791.tif 000025
【図２３】
0005450791.tif 000026
【図２４】
0005450791.tif 000027
【図２５】
0005450791.tif 000028
【図２６】
0005450791.tif 000029
【図２７】
0005450791.tif 000030
【図２８】
0005450791.tif 000031